(57)【特許請求の範囲】
【請求項１】
本体２の下端に固着した下部カバー３と同カバー３の開口部３ｂに対して取脱自在に挿着する密閉蓋４との間を連結紐５で連結するものにおいて、
上記連結紐５の中間部を、上記下部カバー３に形成した連結孔３ａに挿通し、該連結孔３ａにおける上記密閉蓋４が連結された側と反対側には、上記連結孔３ａより大きく且つ連結紐５の摺動を規制する摺動部材７を挿通し、さらに上記反対側へ引出した連結紐５の他端側は途中で折り返して余長部分を形成すると共に、その折り返し状態で仮保持し、さらに上記摺動部材７は同摺動部材７の外周面に被着する圧着具８を圧縮により連結紐５へ止着することを特徴とするカットアウトの密閉蓋の取付構造。
【請求項２】
上記連結紐５の摺動部材７と圧着具８からなる連結具６が挿通されている側の終端には、抜け止め部５ｃを設けると共に弾性部材からなる衝撃吸収部材１１を設けたことを特徴とする請求項１に記載のカットアウトの密閉蓋の取付構造。
【発明の詳細な説明】
【技術分野】
【０００１】
本願発明は、高圧配電線路の変圧器１次側保護用として使用される、カットアウトの密閉蓋を連結するための連結紐の構造に関するものであり、特に大電流遮断時におけるヒューズ筒からの放出圧力により連結紐の切断、下部カバーや密閉蓋の破壊を防止するためのカットアウトの密閉蓋の取付構造の改良に係るものである。
【背景技術】
【０００２】
高圧配電線路の変圧器１次保護用として使用されているカットアウトには、その下端部に固着する下部カバーの開口部からの本体内への汚損粒子等の侵入を阻止するため密閉蓋が取脱自在に装着されている。
【０００３】
この密閉蓋の取付構造としては、カットアウト本体の下端に固着した下部カバーの連結孔に連結紐を挿通させ、連結紐には下部カバーに対して密閉蓋とは反対側に緩衝部材を設けて密閉蓋と下部カバー間の連結紐の長さを短くし、さらに緩衝部材より後の連結紐においては途中で折り返し、仮止めした余長部分を構成したものがある（特許文献１参照願います）。
【０００４】
上記構成においては、密閉蓋と下部カバーの間の連結紐の長さを短く設定したため、風等による連結紐の揺れが少なくなり、腕金の接地側部材に対する接触がなくなり、連結紐を介して漏洩電流が流れず、連結紐の焼損による切断事故が防止できた。また、常時は連結紐が短い状態にあるため、同紐が風圧を受けにくくなり風による密閉蓋の不用意な落下事故が防止でき、更に紐への着雪による自然開蓋も防止できた。
【０００５】
さらに、大電流遮断時に密閉蓋が下方に急激に吹き飛ばされる際には、連結紐は緩衝部材の摺動孔との間で摩擦抵抗を受けながら摺動して制動力を受けることで衝撃力を緩和しながら下方へ引っ張られていた。また連結紐が全て引出された後には、連結紐の終端部に設けられた結び目が緩衝部材に衝突し、緩衝部材が変形することで同蓋及び連結紐に加わる衝撃力が吸収できた。
【特許文献１】特開平９−２８２９９８号公報
【発明の開示】
【発明が解決しようとする課題】
【０００６】
しかしながら、上記構成の緩衝部材の摺動孔と連結紐との摩擦力は、緩衝部材の摺動孔と連結紐径で決定されるために安定せず、而調整ができない。そのため大電流遮断時に密閉蓋が下方に急激に吹き飛ばされる際には連結紐が勢い良く引っ張られることを抑えための制動力が足りず、連結紐に加わる衝撃力が緩和できなくなることがある。そのため、連結紐の結び目と緩衝部材が衝突し、その衝撃力が緩衝部材の変形で吸収できない状態においては下部カバーの破壊や連結紐の切断に繋がる可能性があった。
【０００７】
そこで、上記緩衝部材の摺動孔と連結紐間の摩擦力の調整を、作業性が良く、而安定して行なえる構成が必要となった。その課題を解決することで上記問題点が解決される。
【課題を解決するための手段】
【０００８】
本発明において、上記のように大電流遮断時における密閉蓋４や連結紐５の制動力を、作業性がよく、而安定して得ることができる構成とするため、請求項１記載の発明においては、本体２の下端に固着した下部カバー３と同カバー３の開口部３ｂに対して取脱自在に挿着する密閉蓋４との間を連結紐５で連結するものにおいて、上記連結紐５の中間部を、上記下部カバー３に形成した連結孔３ａに挿通し、該連結孔３ａにおける上記密閉蓋４が連結された側と反対側には、上記連結孔３ａより大きく且つ連結紐５の摺動を規制する摺動部材７を挿通し、さらに上記反対側へ引出した連結紐５の他端側は途中で折り返して余長部分を形成すると共に、その折り返し状態で仮保持し、さらに上記摺動部材７は同摺動部材７の外周面に被着する圧着具８を圧縮により連結紐５へ止着することを特徴とするカットアウトの密閉蓋の取付構造であり、請求項２記載の発明においては、上記連結紐５の摺動部材７と圧着具８からなる連結具６が挿通されている側の終端には、抜け止め部５ｃを設けると共に弾性部材からなる衝撃吸収部材１１を設けたことを特徴とする請求項１に記載のカットアウトの密閉蓋の取付構造である。
【発明の効果】
【０００９】
以上の構成により、摺動部材の外周面に被着する圧着具を圧着工具等によりかしめるだけで連結紐と摺動部材間の所定の摩擦力が簡単に確保できるため作業性が一段と向上した。また、この摩擦力により大電流遮断時にあっては、適切に制動力が働き連結紐切れなどを確実に防止できため安全性を高めることができる。
【００１０】
また、請求項２に記載の発明の構成においては、前記連結紐の終端部には連結紐が下部カバーより抜けないような抜け止め部を設けるとともに、更に弾性体の衝撃吸収部材も設けていることで、吹き飛ばされた密閉蓋により連結紐が全て引出された状態においても、衝撃吸収部材により下部カバーや連結紐への衝撃力が緩和されるために下部カバーの破壊や連結紐の切断が確実に防止できるなど安全性を一段と高めることができる。
【発明を実施するための最良の形態】
【００１１】
発明を実施するための最良の形態を図に基づいて説明する。
図１乃至図６は、本発明の第１実施例を示す。
【００１２】
図１に示すように、カットアウト１は磁器製の本体２、本体２内に着脱可能に装着する放出型のヒューズ筒１２、本体２の下端部に接着剤により固着した合成樹脂製の下部カバー３、下部カバー３の開口部３ｂに取脱自在に挿着した合成樹脂製の密閉蓋４から概略構成されている。
【００１３】
上記下部カバー３の内部には、密閉蓋４が以下のように取付けられている。下部カバー３の開口部３ｂにおける内周面には複数の図示しない周知のバネ係合片を備え、上記密閉蓋４を圧入することにより、その密閉蓋４がバネ係合片を押し開いた後、バネ係合片の内面に係止されて閉蓋状態が保持され（図１の２点鎖線に示す密閉蓋４‘と連結紐５’の状態）、また閉蓋状態において、所定圧で密閉蓋４の上面４ｃを押圧すると（例えばヒューズ筒１２の下端１２ａにより押圧）、バネ係合片のバネ圧に抗して密閉蓋４が外脱するようになっている（図１の実線状態）。
【００１４】
また、図２に示すように下部カバー３と密閉蓋４は、ナイロン製のロープ等のように伸縮性を強靭な引っ張り強度と柔軟性を有する素材からなる連結紐５には、連結具６が以下のように連結されている。
【００１５】
上記連結具６は、ＥＰＲやネオプレンゴム等のゴムやその他弾性を有する樹脂材料で厚肉の中空パイプ形状からなる摺動部材７と、更に摺動部材７の外側には、金属材料で、例えば銅、アルミ、鉄やそれらの合金材料で前記摺動部材７の外径とほぼ等しい内径を備えた中空のパイプ形状からなる圧着具８の２重構造で構成されており、連結紐５の一端を摺動部材７の摺動孔７ａに挿通させ、所定長さの位置にて前記連結具６を仮保持させる。尚仮保持状態とは圧着具８を変形させずに、連結紐５に摺動部材７の摺動孔７ａを挿通したままの状態のことを言う。
【００１６】
次に、連結具６を仮保持した連結紐５の一端部を、図２に示すように下部カバー３の上面側より下部カバー３に設けられた連結孔３ａへ挿通させ、連結孔３ａより貫通した連結紐５の一端を所定長さ引き出す。引出された連結紐５の途中には下部カバー３の下面に当接して連結孔３ａから抜けないように連結孔３ａより大きな結び目５ａを設ける。
【００１７】
尚、連結紐５の結び目５ａと密閉蓋４の間の余長部分は、溶断したヒューズを交換するためにヒューズ筒１２を着脱し密閉蓋４を開ける際、前記余長部分をカットアウト用操作棒により引っ掛けながら下げることで、密閉蓋４は前記バネ係合片のバネ圧に抗して下部カバー３より外脱させることができる。また、連結紐５を使用しない方法として、周知のカットアウト操作棒の先端部で密閉蓋の持ち手部４ａを仮保持した状態で、同操作棒をひねることで密閉蓋４を下部カバー４より外脱させる方法もある。
【００１８】
更に、連結紐５の前記一端部を密閉蓋４の持ち手４ａ部に設けられた貫通孔４ｂに貫通させ、その一端部が貫通孔４ｂから抜けないように貫通孔４ｂより大きな結び目５ｂを設ける。その後、前記連結具６の圧着具８を、圧着工具等を使用し所定の力にて変形（圧縮）させることで、図３のように摺動部材７も変形され、連結紐５に常に安定した圧力（摩擦力）が加わった状態で保持させることができる。
【００１９】
尚、上記説明の圧着具８はパイプ形状に限らず、摺動部材７の外周面に対し被着して摺動部材７の変形状態（摺動部材７と連結紐５間の摩擦力）が維持できればよく、例えば、金属材料の板を折り曲げて断面をＵ字形状に形成したものでも構わない。
【００２０】
また、摺動部材７の形状は厳密なパイプ形状に限定されず、連結紐５との摺動を規制できる形状であれば良く、割溝を備えた断面形状がＣ型のものを用いても良い。その場合、連結紐５に予め摺動部７を挿通する必要がないため、連結紐５の一連の組立が完了した後、割溝により摺動部材７を連結紐５に対し装着することができる。尚、圧着具８は例えば、銅、鉄、アルミやそれらの合金など金属材料からなるもので、摺動部材７の外周面に被着させた後、圧着具８をかしめ工具等によりかしめることで、摺動部材７と連結紐５間の摩擦力が簡単に確保できる。
【００２１】
次に、密閉蓋４が取付けられた側とは反対側で、連結紐５の連結具６より延長された余長部分は、仮止め用の結束部材１０で束ねて、折り返し部９（余長部分）を形成する。尚この結束部材１０としては、結束状態において所定の衝撃を受けた場合、容易に結束状態が外れたり切断するように仮止め的に構成されており、例えば樹脂製や布製のバンドに仮止め部を形成して前記仮止め部が衝撃で外れたり、衝撃で切断するようにしたものなどを使用する。
【００２２】
次に、結束状態された連結紐５の終端部には、図４（ｂ）に示すようにＥＰＲやネオプレンゴム等のゴムやその他弾性を有する樹脂材料で、厚肉の中空パイプ形状からなる衝撃吸収部材１１の挿通孔１１ａに挿通させ、前記連結紐５が挿通孔１１より貫通後、前記衝撃吸収部材１１が抜けないような挿通孔１１ａより大きな結び目５ｃを設ける。
【００２３】
尚、連結具６は上記説明のように折り返し部９と下部カバー３の間で配置することに限らず、本願発明の第２の実施例である図７に示すように折り返し部９の途中に設けてもかまわない。また、図７において密閉蓋４と連結紐５の実線状態は密閉蓋４が下部カバー３より外脱した状態であり、２点鎖線で示す密閉蓋４’と連結紐５’の状態は下部カバー３に密閉蓋４’が保持された状態を示す。
【００２４】
上記の連結紐５の結束方法としては次の通りである。図１の状態から、その結び目５ａを外し、新たに結び目５ａを密閉蓋４側に近づけ形成する。さらに形成された結び目５ａを下部カバー３の下面に接触するように連結紐５を移動したことにより、新たに形成された余長部分（下部カバー３の連結孔３ａの上面から連結具６の間）を、すでに形成されている折り返し部９（図１の折り返し部９）に対して折り返し、さらに第１実施例と同様の結束部材１０により結束される。
【００２５】
上記のように、第２実施例においては結び目５ａと下部カバー４の間の連結紐の余長部分を短くすることで、連結紐５の前記余長部分が腕金の接地側部材に触れることもなく連結紐を介しての漏洩電流が流れず、連結紐５の焼損による切断事故が防止できる利点がある。また連結紐５の余長部分が風圧を受けにくくなり風による密閉蓋４の不用意な落下事故が防止できる利点もある。
【００２６】
次に上記第１実施例において、ヒューズが過電流で溶断した場合の動作について説明する。
ヒューズ筒１２が図示しない周知のコイルバネにより垂下して、その下端１２ａが密閉蓋４の上面４ｃに衝突すると、同蓋４は衝突により図示しない係合片からの保持が解かれて落下し、図１に示すように連結紐５に吊り下げられた状態となる。
【００２７】
また、短絡電流等の大電流によりヒューズが遮断した場合は以下の通りである。ヒューズ筒１２の下端放出口からアーク及びアークガスが一挙に勢い良く拭き飛ばされる。この時、連結紐５は下部カバー３の連結孔３ａの上方側に位置して接触している連結具６の摺動孔７ａ内を強い摩擦抵抗を受けながら摺動して下方へ引っ張られる。尚この時、摺動抵抗は摺動部材７と連結紐５の摩擦力、つまり紐径と圧着具８の変形量に関係して発生し、また密閉蓋４に加わる力（衝撃）は遮断時の電流値に関係する。そのため、これらにより連結紐５が下部カバー３の下方へ引出されて伸長される長さは異なる。
【００２８】
更に、密閉蓋４に加わる衝撃力が強い場合には、仮止め用の結束部材１０の仮止め部が外れたり、結束部材１０そのものが切断されて余長部分も図５に示すように引出されて緩衝される。
【００２９】
また、上記において、この連結紐５の余長部分が全て引出されただけでは衝撃が吸収されず連結紐５に大きな衝撃が仮に作用した場合は、図６に示すように、弾性を有する衝撃吸収部材１１に連結具６や結び目５ｃが衝突し、衝撃吸収部材１１自体の変形によって衝撃を吸収し、紐の切断を防止することが出来るようになっている。尚この時、連結具６に設けられた弾性を有する摺動部材７も変形することで更に衝撃を吸収することができる。また、連結具６は上記説明のように連結紐５の途中１箇所に限らず、遮断時の電流値に応じて複数箇所に設けてもかまわない
【００３０】
尚図７の第２実施例において、短絡事故等により大電流遮断した場合は、連結紐５は結束部材１０の仮止め部が外れたり結束部材１０そのものが切断された後に、連結具６の摺動孔７ａ内を強い摩擦抵抗を受けながら摺動して下方へ引っ張られることになる。この動作にて衝撃が吸収されない場合には上記第１実施例の説明と同様の動作となる。
【図面の簡単な説明】
【００３１】
【図１】本発明の第１実施例を示すのもので、密閉蓋を挿着する前のカットアウトの側面図
【図２】図１において、密閉蓋を挿着したときの要部拡大図
【図３】連結具の圧着具を変形させた状態の断面図
【図４】（ａ）連結具の圧着具を変形させた状態での斜視図（ｂ）衝撃吸収部材の斜視図
【図５】大電流遮断時での密閉蓋の吊り下げ状態図
【図６】図５における連結具と衝撃吸収部材の周辺詳細図
【図７】本願発明の第２実施例を示すもので、連結具を折り返し部の途中に連結具を配置した場合のカットアウトの側面図
【符号の説明】
【００３２】
１      カットアウト
２      本体
３      下部カバー
３ａ    連結孔
３ｂ    開口部
４      密閉蓋
５      連結紐
６      連結具
７      摺動部材
７ａ    摺動孔
８      圧着具
９      折り返し部（余長部分）
１１    衝撃吸収部材
１２    ヒューズ筒
【図１】
0004615455.tif 000002
【図２】
0004615455.tif 000003
【図３】
0004615455.tif 000004
【図４】
0004615455.tif 000005
【図５】
0004615455.tif 000006
【図６】
0004615455.tif 000007
【図７】
0004615455.tif 000008